(57)【要約】      （修正有）【課題】構造最適化により高速データ伝送下でのメスコネクタのクロストーク問題を回避するＰＳＡＳメスコネクタを提供する。【解決手段】枠本体１、端子アセンブリ２、シールド３を含み、枠本体は端子スロットと傾斜部分を含む。端子スロットは枠本体の内側に配置され、傾斜部分は相手プラグ端近くの端子スロット内に配置される。端子アセンブリはＳＡＴＡ７Ｐｉｎ端子２１、ＳＡＳ４０Ｐｉｎ端子２２、１５Ｐｉｎ信号端子２３、６Ｐｉｎ端子２４、４Ｐｉｎ端子２５を含む枠本体内に挿入される。シールドは短いシールドシート３１と長いシールドシート３２を含み、短いシールドシートと長いシールドシートの両方が弾性片３３を含み、該片は短いシールドシートと長いシールドシートの端に配置される。【選択図】図１
0003233362.tif 000002
【実用新案登録請求の範囲】
【請求項１】
枠本体、端子アセンブリ、およびシールドを含み、
前記枠本体は端子スロット、および傾斜部分を含み、
前記端子スロットは枠本体の内側に配置され、
前記傾斜部分は嵌合プラグ端子近くの端子スロットの内側に配置され、
前記端子アセンブリは前記枠本体の内側に挿入され、ＳＡＴＡ７Ｐｉｎ端子、ＳＡＳ４０Ｐｉｎ端子、１５Ｐｉｎ信号端子、６Ｐｉｎ端子、および４Ｐｉｎ端子を含み、
前記シールドは、方形状体であって、弾性片を含み、短いシールドシートと長いシールドシートを含み、
前記弾性片は、前記短いシールドシートと前記長いシールドシートの端に配置され、
前記シールドは、ＳＡＴＡ７Ｐｉｎ端子とＳＡＳ４０Ｐｉｎ端子が挿入される枠本体の側面に取り付けられ、
ＰＳＡＳメスコネクタとオスコネクタを嵌合する前に、前記ＳＡＴＡ７Ｐｉｎ端子と前記ＳＡＳ４０Ｐｉｎ端子のピンは前記傾斜部分に接触し、前記ＳＡＴＡ７Ｐｉｎ端子と前記ＳＡＳ４０Ｐｉｎ端子と傾斜部分の接触点は同一平面上にあり、
前記ＰＳＡＳメスコネクタが前記オスコネクタと嵌合すると、前記オスコネクタ端子によって圧迫され、
前記ＳＡＴＡ７Ｐｉｎ端子と前記ＳＡＳ４０Ｐｉｎ端子のピンは、前記オスコネクタ端子によって押し込まれ、前記端子スロットの外側に曲げられ、前記シールドの弾性片と接触し、シールドの弾性片に接触することにより、前記ＳＡＴＡ７Ｐｉｎ端子と前記ＳＡＳ４０Ｐｉｎ端子ピンが接続されるＰＳＡＳメスコネクタ。
【請求項２】
前記枠本体がプラスチックで成形されている請求項１に記載のＰＳＡＳメスコネクタ。
【請求項３】
前記枠本体が導電性プラスチックを含み、前記導電性プラスチックには、短い接着剤と長い接着剤があり、端子スロットに配置され、前記短いシールドピースと前記長いシールドピースは、それぞれ短い接着剤と長い接着剤で接続される請求項１に記載のＰＳＡＳメスコネクタ。
【請求項４】
位置決め穴が枠本体の両側に設けられ、ポジショナの端部が前記位置決め穴を通してＰＣＢに固定できる請求項１に記載のＰＳＡＳメスコネクタ。
【考案の詳細な説明】
【技術分野】
【０００１】
本考案は、コネクタの構造に関し、特にＰＳＡＳメスコネクタの構造に関する。
【背景技術】
【０００２】
サーバーストレージ業界では、データストレージの量が増え続け、それに応じて伝送速度要件が増加し、クロック周波数が増加し、立ち上がり時間が大幅に短縮されると、コネクタの伝送速度要件を継続的に増加させる必要がある。 既存のＰＳＡＳメスコネクタの構造が複雑なため、信号端子には２つの曲がりがあり、内側と外側の列が長く、距離が非常に近いため、高速データ伝送でのクロストークの問題を解決することが急務で、Ｕ．２ およびＵ．３のアプリケーションは３２Ｇｂｐｓの伝送速度を実現する。
【先行技術文献】
【特許文献】
【０００３】
【特許文献１】実用新案登録第３２２８８５９号
【考案の概要】
【考案が解決しようとする課題】
【０００４】
本考案は、前記公知構造の課題を解決するため、ＰＳＡＳメスコネクタ構造の最適化を提供するものである。
また、本考案は、構造最適化によって、高速データ伝送下でのメスコネクタのクロストーク問題を回避するＰＳＡＳメスコネクタを提供することを主な課題とするものである。
【課題を解決するための手段】
【０００５】
本考案によって提供されるＰＳＡＳメスコネクタは、枠本体、端子アセンブリ、およびシールドを含み、枠本体には、端子スロットと傾斜部分が含まれる。
端子スロットは枠本体の内側に配置され、傾斜部分は、相手プラグ端近くの端子スロット内に配置される。
【０００６】
端子アセンブリは、ＳＡＴＡ７Ｐｉｎ端子、ＳＡＳ４０Ｐｉｎ端子、１５Ｐｉｎ信号端子、６Ｐｉｎ端子、４Ｐｉｎ端子を含む枠本体内に挿入される。
シールドは、短いシールドシートと長いシールドシートを含み、短いシールドシートと長いシールドシートの両方の弾性片を含み、弾性片は、短いシールドシートと長いシールドシートの端に配置される。
【０００７】
ＰＳＡＳメスコネクタとオスコネクタを嵌合する前に、ＳＡＴＡ７Ｐｉｎ端子とＳＡＳ４０Ｐｉｎ端子のピンが傾斜部に隣接し、ＳＡＴＡ７Ｐｉｎ端子とＳＡＳ４０Ｐｉｎ端子ピンと傾斜部の接点が同一平面になる。ＰＳＡＳメスコネクタがオスコネクタと嵌合すると、オスコネクタ端子で圧搾され、ＳＡＴＡ７Ｐｉｎ端子とＳＡＳ４０Ｐｉｎ端子がオスコネクタ端子で圧搾されて端子スロットの外側に曲がり、弾性片が接触する。
シールドの弾性片に接触することにより、ＳＡＴＡ７Ｐｉｎ端子とＳＡＳ４０Ｐｉｎ端子ピンが接続される。好ましくは、ＰＳＡＳメスコネクタに含まれる枠本体がプラスチック製である。
【０００８】
導電性プラスチックには、短い接着剤と長い接着剤があり、どちらも端子スロットに配置され、短いシールドピースと長いシールドピースは、それぞれ短い接着剤と長い接着剤で接続される。好ましくは、ＰＳＡＳメスコネクタはポジショナを含み、枠本体は位置決め穴を含み、位置決め穴は枠本体の両側に配置され、ポジショナの端部は位置決め穴を通してＰＣＢに固定することができる。
上記の技術利用した後、本考案の効果は次のとおりであり、既に開示された技術と比較して、上記２つのシールドは、端部に弾性片を備え、それぞれ、ＳＡＴＡ７ピンおよびＳＡＳ４０Ｐｉｎ信号電源端子の挿入位置に対応する枠本体に取り付けられる。
【０００９】
ＳＡＴＡ７Ｐｉｎ端子とＳＡＳ４０Ｐｉｎ端子のピンは傾斜部に接触しており、ＳＡＴＡ７Ｐｉｎ端子とＳＡＳ４０Ｐｉｎ端子と傾斜部の接点は同一平面上にあり、ピンの上昇と落下を効果的に防ぎ、動作状態では、ＰＳＡＳメスコネクタとオスコネクタを嵌合後、オスコネクタ端子で圧搾し、ＳＡＴＡ７Ｐｉｎ端子とＳＡＳ４０Ｐｉｎ端子をオスコネクタ端子で圧搾して外側に曲げ、そして、シールドの弾性片と接触する。シールドの弾性片に接触することにより、ＳＡＴＡ７Ｐｉｎ端子とＳＡＳ４０Ｐｉｎ端子ピンが接続され、 シールドは導電性プラスチックと接触しているため、接地端子は端から端まで接続され、優れたシールドを形成し、クロストークを効果的に改善し、Ｇｅｎ５の性能要件を満たされる。
【考案の効果】
【００１０】
本考案は、構造最適化によって、高速データ伝送下でのメスコネクタのクロストーク問題を回避するＰＳＡＳメスコネクタを提供することができる。  
【図面の簡単な説明】
【００１１】
【図１】本考案の一実施の携帯のＰＳＡＳメスコネクタの分解図である。
【図２】本考案の一実施形態のＰＳＡＳメスコネクタの側面断面図と部分拡大図である（端子ピンは、嵌合前に傾斜部分に接している様子を示す。）。
【図３】本考案の一態様のＰＳＡＳメスコネクタの側面断面図と部分拡大図である（端子は嵌合後に弾性片と接触している様子を示す。）。
【考案を実施するための形態】
【００１２】
以下に、図面１から３を参照し、本考案の一実施形態のＰＳＡＳメスコネクタの構造を詳細に説明するが、本考案は、実施形態に限られるものではなく、請求の範囲及び明細書全体、図面から読み取れる考案の要旨或は思想に反しない範囲で適宜変更可能である。
【００１３】
図1に示すように、本考案の実施形態のＰＳＡＳメスコネクタは、枠本体１、端子アセンブリ２、およびシールド３を有する。上記枠本体１は、端子スロット１１および傾斜部分１２を含む。端子スロット１１は、枠本体１の内側に配置される。傾斜部分１２は、嵌合プラグ端部近くの端子スロット１１の内側に配置される。端子アセンブリ２は、枠本体１の内部に挿入され、ＳＡＴＡ７Ｐｉｎ端子２１、ＳＡＳ４０Ｐｉｎ端子２２、１５Ｐｉｎ信号端子２３、６Ｐｉｎ端子２４、および４Ｐｉｎ端子２５を含む。シールド３は、短いシールドシート３１および長いシールドシート３２を含み、短いシールドシート３１および長いシールドシート３２の両方には、短いシールドシート３１および長いシールドシート３１の端部に配置された弾性片３３とシールドシート３２を含む。シールド３は片状体であり、短いシールドシート３１および長いシールドシート３２は、それぞれ、ＳＡＴＡ７Ｐｉｎ端子２１およびＳＡＳ ４０Ｐｉｎ端子２２が配置し、枠本体１の側面に挿入される。
次に、図２と図３に示すように、ＰＳＡＳメスコネクタがオスコネクタと嵌合する前に、ＳＡＴＡ７Ｐｉｎ端子２１とＳＡＳ４０Ｐｉｎ端子２２のピンが傾斜部分１２に隣接し、ＳＡＴＡ７Ｐｉｎ端子２１とＳＡＳ４０Ｐｉｎが隣接し、端子２２ピンと傾斜部１２との接点は同一平面上にあり、ピンの上下動を効果的に防止でき、ＰＳＡＳメスコネクタがオスコネクタと嵌合すると、オスコネクタ端子に圧迫され、ＳＡＴＡ７Ｐｉｎ端子２１とＳＡＳ４０Ｐｉｎ端子２２がオスコネクタ端子に圧迫されて端子スロット１１の外側に曲がり、そしてシールド３の弾性片３３と接触し、シールド３の弾性片３３と接触することにより、ＳＡＴＡ７Ｐｉｎ端子２１とＳＡＳ４０Ｐｉｎ端子２２のピンが接続され、良好なシールドを形成し、クロストークを効果的に改善し、Ｇｅｎ５の性能要件を満たす。
【００１４】
図１から図３に示すように、実施形態１に基づいて、ＰＳＡＳメスコネクタに含まれ、枠本体１はプラスチック製であり、枠本体１は、導電性プラスチックを含む。
導電性プラスチックは、短い接着剤１３および長い接着剤１４を含み、これらは両方とも端子スロット１１に配置され、短いシールドシート３１および長いシールドシート３２は、それぞれ短い接着剤１３および長い接着剤１４に接続され、ＰＳＡＳメスコネクタはポジショナ４を含み、枠本体１の両側に配置された位置決め穴１５があり、ポジショナ４の端部は位置決め穴１５を通過してＰＣＢに固定することができる。
以上の実施形態による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【符号の説明】
【００１５】
１  枠本体  
２  端子アセンブリ
３  シールド
４  ポジショナ
１１  端子スロット
１２  傾斜部分
１３  短い接着剤
１４  長い接着剤
１５  位置決め穴
２１  ＳＡＴＡ７Ｐｉｎ端子
２２  ＳＡＳ４０Ｐｉｎ端子
２３  １５Ｐｉｎ信号端子
２４  ６Ｐｉｎ端子
２５  ４Ｐｉｎ端子
３１  短いシールドシート
３２  長いシールドシート
３３  弾性片
【図１】
0003233362.tif 000003
【図２】
0003233362.tif 000004
【図３】
0003233362.tif 000005
【手続補正書】
【提出日】令和3年4月12日(2021.4.12)
【手続補正１】
【補正対象書類名】明細書
【補正対象項目名】０００７
【補正方法】変更
【補正の内容】
【０００７】
ＰＳＡＳメスコネクタとオスコネクタを嵌合する前に、ＳＡＴＡ７Ｐｉｎ端子とＳＡＳ４０Ｐｉｎ端子のピンが傾斜部に隣接し、ＰＳＡＳメスコネクタがオスコネクタと嵌合すると、オスコネクタ端子で圧搾され、ＳＡＴＡ７Ｐｉｎ端子とＳＡＳ４０Ｐｉｎ端子がオスコネクタ端子で圧搾されて端子スロットの外側に曲がり、弾性片が接触する。
シールドの弾性片に接触することにより、ＳＡＴＡ７Ｐｉｎ端子とＳＡＳ４０Ｐｉｎ端子ピンが接続される。好ましくは、ＰＳＡＳメスコネクタに含まれる枠本体がプラスチック製である。
【手続補正２】
【補正対象書類名】明細書
【補正対象項目名】００１４
【補正方法】変更
【補正の内容】
【００１４】
図１から図３に示すように、実施形態１に基づいて、ＰＳＡＳメスコネクタに含まれ、枠本体１はプラスチック製であり、枠本体１は、導電性プラスチックを含む。
導電性プラスチックは、短い接着剤１３および長い接着剤１４を含み、これらは両方とも端子スロット１１に配置され、短いシールドシート３１および長いシールドシート３２は、それぞれ短い接着剤１３および長い接着剤１４に接続され、ＰＳＡＳメスコネクタはポジショナ４を含み、枠本体１の両側に配置された位置決め穴１５があり、ポジショナ４の端部は位置決め穴１５を通過してＰＣＢ（Ｐｒｉｎｔｅｄ  Ｃｉｒｃｕｉｔ  Ｂｏａｒｄ）に固定することができる。
以上の実施形態による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【手続補正３】
【補正対象書類名】実用新案登録請求の範囲
【補正対象項目名】全文
【補正方法】変更
【補正の内容】
【実用新案登録請求の範囲】
【請求項１】
枠本体、端子アセンブリ、およびシールドを含み、
前記枠本体は端子スロット、および傾斜部分を含み、
前記端子スロットはフレーム部材の内側に配置され、
前記傾斜部分は嵌合プラグ端子近くの端子スロットの内側に配置され、
前記端子アセンブリは前記枠本体の内側に挿入され、ＳＡＴＡ７Ｐｉｎ端子、ＳＡＳ４０Ｐｉｎ端子、１５Ｐｉｎ信号端子、６Ｐｉｎ端子、および４Ｐｉｎ端子を含み、
前記シールドは、方形状体であって、弾性片を含み、短いシールドシートと長いシールドシートを含み、
前記弾性片は、前記短いシールドシートと前記長いシールドシートの端に配置され、
前記シールドは、ＳＡＴＡ７Ｐｉｎ端子とＳＡＳ４０Ｐｉｎ端子が挿入される枠本体の側面に取り付けられ、
ＰＳＡＳメスコネクタとオスコネクタを嵌合する前に、前記ＳＡＴＡ７Ｐｉｎ端子と前記ＳＡＳ４０Ｐｉｎ端子のピンは前記傾斜部分に接触し、
前記ＰＳＡＳメスコネクタが前記オスコネクタと嵌合すると、前記オスコネクタ端子によって圧迫され、
前記ＳＡＴＡ７Ｐｉｎ端子と前記ＳＡＳ４０Ｐｉｎ端子のピンは、前記オスコネクタ端子によって押し込まれ、前記端子スロットの外側に曲げられ、前記シールドの弾性片と接触し、シールドの弾性片に接触することにより、前記ＳＡＴＡ７Ｐｉｎ端子と前記ＳＡＳ４０Ｐｉｎ端子ピンが接続されるＰＳＡＳメスコネクタ。
【請求項２】
前記枠本体がプラスチックで成形されている請求項１に記載のＰＳＡＳメスコネクタ。
【請求項３】
前記枠本体が導電性プラスチックを含み、前記導電性プラスチックには、短い接着剤と長い接着剤があり、端子スロットに配置され、短いシールドピースと長いシールドピースは、それぞれ短い接着剤と長い接着剤で接続される請求項１に記載のＰＳＡＳメスコネクタ。
【請求項４】
ポジショナを含み、前記枠本体の両側に位置決め穴を配置し、前記ポジショナの端部が前記位置決め穴を通してＰＣＢ（Ｐｒｉｎｔｅｄ  Ｃｉｒｃｕｉｔ  Ｂｏａｒｄ）に固定される請求項１に記載のＰＳＡＳメスコネクタ。
【手続補正書】
【提出日】令和3年6月9日(2021.6.9)
【手続補正１】
【補正対象書類名】明細書
【補正対象項目名】０００８
【補正方法】変更
【補正の内容】
【０００８】
導電性プラスチックには、短い接着剤と長い接着剤があり、どちらも端子スロットに配置され、短いシールドシートと長いシールドシートは、それぞれ短い接着剤と長い接着剤で接続される。好ましくは、ＰＳＡＳメスコネクタはポジショナを含み、枠本体は位置決め穴を含み、位置決め穴は枠本体の両側に配置され、ポジショナの端部は位置決め穴を通してＰＣＢに固定することができる。
上記の技術利用した後、本考案の効果は次のとおりであり、既に開示された技術と比較して、上記２つのシールドは、端部に弾性片を備え、それぞれ、ＳＡＴＡ７ピンおよびＳＡＳ４０Ｐｉｎ信号電源端子の挿入位置に対応する枠本体に取り付けられる。
【手続補正２】
【補正対象書類名】実用新案登録請求の範囲
【補正対象項目名】全文
【補正方法】変更
【補正の内容】
【実用新案登録請求の範囲】
【請求項１】
枠本体、端子アセンブリ、およびシールドを含み、
前記枠本体は端子スロット、および傾斜部分を含み、
前記端子スロットはフレーム部材の内側に配置され、
前記傾斜部分は嵌合プラグ端子近くの端子スロットの内側に配置され、
前記端子アセンブリは前記枠本体の内側に挿入され、ＳＡＴＡ７Ｐｉｎ端子、ＳＡＳ４０Ｐｉｎ端子、１５Ｐｉｎ信号端子、６Ｐｉｎ端子、および４Ｐｉｎ端子を含み、
前記シールドは、方形状体であって、弾性片を含み、短いシールドシートと長いシールドシートを含み、
前記弾性片は、前記短いシールドシートと前記長いシールドシートの端に配置され、
前記シールドは、ＳＡＴＡ７Ｐｉｎ端子とＳＡＳ４０Ｐｉｎ端子が挿入される枠本体の側面に取り付けられ、
ＰＳＡＳメスコネクタとオスコネクタを嵌合する前に、前記ＳＡＴＡ７Ｐｉｎ端子と前記ＳＡＳ４０Ｐｉｎ端子のピンは前記傾斜部分に接触し、
前記ＰＳＡＳメスコネクタが前記オスコネクタと嵌合すると、前記オスコネクタ端子によって圧迫され、
前記ＳＡＴＡ７Ｐｉｎ端子と前記ＳＡＳ４０Ｐｉｎ端子のピンは、前記オスコネクタ端子によって押し込まれ、前記端子スロットの外側に曲げられ、前記シールドの弾性片と接触し、シールドの弾性片に接触することにより、前記ＳＡＴＡ７Ｐｉｎ端子と前記ＳＡＳ４０Ｐｉｎ端子ピンが接続されるＰＳＡＳメスコネクタ。
【請求項２】
前記枠本体がプラスチックで成形されている請求項１に記載のＰＳＡＳメスコネクタ。
【請求項３】
前記枠本体が導電性プラスチックを含み、前記導電性プラスチックには、短い接着剤と長い接着剤があり、端子スロットに配置され、短いシールドシートと長いシールドシートは、それぞれ短い接着剤と長い接着剤で接続される請求項１に記載のＰＳＡＳメスコネクタ。
【請求項４】
ポジショナを含み、前記枠本体の両側に位置決め穴を配置し、前記ポジショナの端部が前記位置決め穴を通してＰＣＢ（Ｐｒｉｎｔｅｄ  Ｃｉｒｃｕｉｔ  Ｂｏａｒｄ）に固定される請求項１に記載のＰＳＡＳメスコネクタ。